(57)【要約】      （修正有）【課題】オプチカルネットワークユニット及びユーザーの装置との間で、ＯＭＣＩが設定するネットワーク管理機能が使用できて、全体のネットワーク管理機能を高めることが可能な光ファイバーネットワークシステム及びその管理方法を提供する。【解決手段】光ファイバーネットワークシステム２は、少なくとも１個のユーザーの装置２１及びオプチカルネットワークユニット２２を備える。オプチカルネットワークユニットは２２、ユーザーの装置２１に接続されて、イーサーネットプロトコルに基づいて、マネージャパケットＭＰ１をユーザーの装置２１に転送する。マネージャパケットＭＰ１は少なくとも１個のストリング情報を有し、ストリング情報はＯＭＣＩによって設定される。【選択図】図２
2008271545.tif 000002
【特許請求の範囲】
【請求項１】
少なくとも１個のユーザーの装置と、
前記ユーザーの装置に接続されて、イーサーネットプロトコルに基づき、ユーザーの装置にマネージャパケットが転送されて、前記マネージャパケットは少なくとも１個のストリング情報を携えて、前記ストリング情報はＯＭＣＩによって設定されるオプチカルネットワークユニットとを備えることを特徴とする
光ファイバーネットワークシステム。
【請求項２】
前記オプチカルネットワークユニットは、ＭＡＣアドレスによって前記マネージャパケットを転送することを特徴とする
請求項１に記載の光ファイバーネットワークシステム。
【請求項３】
前記イーサーネットプロトコルはＩＥＥＥ８０２．３ａｈであることを特徴とする
請求項１に記載の光ファイバーネットワークシステム。
【請求項４】
前記マネージャパケットはＯＡＭＰＤＵパケットであり、
前記ＯＡＭＰＤＵパケットのコードフィールドのパラメーターは、開発者のカスタマイズで決定されることを特徴とする
請求項３に記載の光ファイバーネットワークシステム。
【請求項５】
前記ＯＡＭＰＤＵパケットのデータフィールド（ＤＡＴＡ  ｆｉｅｌｄ）は、ＯＭＣＩストップコードを有することで、前記ストリング情報のストップビットを確定し、前記ＯＭＣＩストップコードは前記ストリング情報に隣接することを特徴とする
請求項４に記載の光ファイバーネットワークシステム。
【請求項６】
前記ストリング情報は、前記ＯＡＭＰＤＵパケットのデータフィールドに保存されることを特徴とする
請求項４に記載の光ファイバーネットワークシステム。
【請求項７】
前記ユーザーの装置はＯＡＭＰＤＵパケットを受信して、エコーパケットを前記オプチカルネットワークユニットに転送し、前記エコーパケットは前記ユーザーの装置のハードウェア情報を有することを特徴とする
請求項４に記載の光ファイバーネットワークシステム。
【請求項８】
前記オプチカルネットワークユニットはメモリを有して、前記ハードウェア情報を記録することを特徴とする
請求項７に記載の光ファイバーネットワークシステム。
【請求項９】
前記オプチカルネットワークユニットは、
ＯＭＣＩパケットを受信して、前記ＯＭＣＩパケットは前記ストリング情報を有する受信モジュールと、
前記受信モジュールに電気的に接続されてＯＭＣＩパケットを受信し、前記ストリング情報を前記マネージャパケットにパケット化する変換モジュールと、
前記変換モジュールに電気的に接続されて、前記マネージャパケットを受信して、さらに、ユーザーの装置に転送する転送モジュールを有することを特徴とする
請求項１に記載の光ファイバーネットワークシステム。
【請求項１０】
さらに、前記オプチカルネットワークユニットに接続されて、ＯＭＣＩパケットを前記オプチカルネットワークユニットに転送するオプチカルライン・ターミナルを備えることを特徴とする
請求項９に記載の光ファイバーネットワークシステム。
【請求項１１】
光ファイバーネットワークシステムの管理方法であって、前記光ファイバーネットワークシステムは、少なくとも１個のユーザーの装置及びオプチカルネットワークユニットを有し、前記オプチカルネットワークユニットは前記ユーザーの装置に接続されて、
前記管理方法は、前記オプチカルネットワークユニットによって、少なくとも１個のストリング情報が選択され、前記ストリング情報はＯＭＣＩによって設定され、
前記ストリング情報がマネージャパケットとしてパケット化され、
前記オプチカルネットワークユニットによって、イーサーネットプロトコルに基づいて前記マネージャパケットが前記ユーザーの装置に転送されるステップを備えることを特徴とする
光ファイバーネットワークシステムの管理方法。
【請求項１２】
さらに、ＭＡＣアドレスによって前記マネージャパケットが転送されることを特徴とする
請求項１１に記載の光ファイバーネットワークシステムの管理方法。
【請求項１３】
前記イーサーネットプロトコルはＩＥＥＥ８０２．３ａｈであり、前記マネージャパケットはＯＡＭＰＤＵパケットであることを特徴とする
請求項１１に記載の光ファイバーネットワークシステムの管理方法。
【請求項１４】
さらに、前記ＯＡＭＰＤＵパケットを転送することで、ディスカバリプロセスを実行し、
前記ユーザーの装置によってハードウェアの情報がエコーパケットを介して前記オプチカルネットワークユニットに転送されることを特徴とする
請求項１３に記載の光ファイバーネットワークシステムの管理方法。
【請求項１５】
さらに、前記オプチカルネットワークユニットによって、ＯＭＣＩパケットが受信され、前記ＯＭＣＩパケットは前記ストリング情報を有することを特徴とする
請求項１１に記載の光ファイバーネットワークシステムの管理方法。
【発明の詳細な説明】
【技術分野】
【０００１】
本発明は、ネットワークシステム及びその管理方法に関し、特に光ファイバーネットワークシステム及びその管理方法に関する。
【背景技術】
【０００２】
情報通信の発展及びネットワーク基礎建設の急速な進歩に伴い、オンラインゲーム、オンライン学習、ビデオ会議等のようなネットワークブロードバンドの応用が急速に進んでいる。  
光ファイバーは、ハイバンドワイズ、大容量、低損失及び電磁波の干渉を受けない等の特性を有するため、その他の伝播メディアに比べて明らかに優れた点を有する。  
光通信技術の急速な成長の下、徐々に従来の銅線ケーブルによる通信方式に取って代わり、未来のブロードバンドネットワークの中心となるであろうと思われる。  
初期の頃は電信業者が光ファイバーを敷設するには、バックボーンネットワークから開始したが、今日では世界のバックボーンネットワーク／都市部のネットワークの建設はほぼ飽和状態に達し、光ファイバーは徐々にインターネットアクセスへと発展し、各種の光ファイバーを主としたブロードバンドインターネットアクセス技術が次々と開発されている。
【０００３】
一般に、図１に示したように、光ファイバーアクセス可能なネットワークシステム１は、複数のオプチカルライン・ターミナル（Optical Line Terminal,ＯＬＴ）１１及びオプチカルネットワークユニット（Optical Network Unit,ＯＮＵ）１２を備える。  
このうち、オプチカルライン・ターミナル１１は、局内端末設備であり、それぞれインターネットＩＮＴ及びオプチカルネットワークユニット１２に接続される。  
そして、オプチカルネットワークユニット１２は、ユーザーの端末設備となり、ユーザーの装置１３に接続される。  
また、インターネットＩＮＴの他端は、インターネットサービスプロバイダ（Internet Service Provider,ＩＳＰ）のネットワーク管理サーバー１４を有し、インターネットＩＮＴを経由してユーザーの装置１３のネットワーク通信設備（例えば、モデム）に対してモニタリング、管理またはプログラムの更新等を行なう。
【０００４】
また、オプチカルライン・ターミナル１１がネットワーク管理を行なう時、国際電信連盟（International Telecommunication Union,ＩＴＵ）が制定するオプチカルネットワークユニット管理コントロールインターフェース（ONU Management and Control Interface,ＯＭＣＩ）によって、オプチカルネットワークユニット１２を管理並びにコントロールする。  
その内容は、例えば、オプチカルネットワークユニット１２との接続の確立／リリース、オプチカルネットワークユニット１２のユーザーネットワークインターフェース（User Network Interface,ＵＮＩ）の管理、リセットメッセージの要求と性能統計及び自動通知システムアドミニストレーターの接続エラー等である。
【発明の開示】
【発明が解決しようとする課題】
【０００５】
ＯＭＣＩはオプチカルネットワークユニット１２に対して、コンフィグレーション管理、故障管理、性能管理及び安全管理といった、いくつかの管理機能を有する。  
しかしながら、ＯＭＣＩはただオプチカルライン・ターミナル１１とオプチカルネットワークユニット１２間にのみ適用されるため、上述の管理機能においても、オプチカルネットワークユニット１２に対してのみ有効である。  
オプチカルネットワークユニット１２が、その他のネットワーク管理プロトコルが設定する機能を使用する場合、例えば、ＳＮＭＰ（Simple Network Management Protocol）によってユーザーの装置１３のネットーワーク設備を管理する場合、ＯＭＣＩによってオプチカルネットワークユニット１２とユーザーの装置１３の間のネットワーク管理を行なうことができず、全体のネットワーク管理機能も低下する。
【０００６】
したがって、本発明は、オプチカルネットワークユニット及びユーザーの装置との間で、ＯＭＣＩが設定するネットワーク管理機能が使用できて、全体のネットワーク管理機能を高めることが可能な光ファイバーネットワークシステム及びその管理方法を提供することを課題とする。
【課題を解決するための手段】
【０００７】
上記課題を解決するため、本発明は、オプチカルネットワークユニット及びユーザーの装置との間で、ＯＭＣＩが設定するネットワーク管理機能が使用できて、全体のネットワーク管理機能を高めることが可能な光ファイバーネットワークシステム及びその管理方法を提供することを目的とする。
【０００８】
上記目的を達成するため、本発明の光ファイバーネットワークシステムは、少なくとも１個のユーザーの装置及びオプチカルネットワークユニットを備える。  
オプチカルネットワークユニットは、ユーザーの装置に接続されて、イーサーネットプロトコルに基づいて、マネージャパケットをユーザーの装置に転送する。  
マネージャパケットは少なくとも１個のストリング情報を有し、ストリング情報はＯＭＣＩによって設定される。
【０００９】
上記目的を達成するため、本発明の光ファイバーネットワークシステムの管理方法は、光ファイバーネットワークシステムが少なくとも１個のユーザーの装置及びオプチカルネットワークユニットを有して、オプチカルネットワークユニットは、ユーザーの装置に接続される。  
管理方法は、以下のステップを備える。  
オプチカルネットワークユニットによって少なくとも１個のストリング情報が選択され、ストリング情報はＯＭＣＩによって設定される。  
ストリング情報がマネージャパケットに付加される。  
オプチカルネットワークユニットを介して、イーサーネットプロトコルに基づき、マネージャパケットがユーザーの装置に転送される。
【００１０】
このように、本発明の光ファイバーネットワークシステム及びその管理方法は、オプチカルネットワークユニットとユーザーの装置の間にイーサーネット（登録商標）が確立されて、ＯＭＣＩが設定したネットワーク管理機能をマネージャパケットに付加し、さらに、マネージャパケットはイーサーネットプロトコルに基づいて、ユーザーの装置に転送されて、ネットワーク管理を行なう。  
従来の技術に比べて、本発明は、オプチカルネットワークユニットとユーザーの装置の間において、ＯＭＣＩが設定したネットワーク管理機能を使用し続けることが可能で、その他のネットワーク管理プロトコルに変更してネットワーク管理を行なう必要がない、したがって、全体のネットワーク管理機能を高めることが可能である。
【発明の効果】
【００１１】
本発明の光ファイバーネットワークシステム及びその管理方法は、オプチカルネットワークユニットとユーザーの装置の間にイーサーネットが確立されて、ＯＭＣＩが設定したネットワーク管理機能をマネージャパケットに付加し、さらに、マネージャパケットはイーサーネットプロトコルに基づいて、ユーザーの装置に転送されて、ネットワーク管理を行なう。  
従来の技術に比べて、本発明は、オプチカルネットワークユニットとユーザーの装置の間において、ＯＭＣＩが設定したネットワーク管理機能を使用し続けることが可能で、その他のネットワーク管理プロトコルに変更してネットワーク管理を行なう必要がない。  
したがって、全体のネットワーク管理機能を高めることが可能である。
【発明を実施するための最良の形態】
【００１２】
以下に図を参照しながら、本発明の好適な実施例における光ファイバーネットワークシステム及びその管理方法を説明する。
【００１３】
図２を参照しながら説明する。  
本発明の好適な実施例の光ファイバーネットワークシステム２は、少なくとも１個のユーザーの装置２１、オプチカルネットワークユニット（Optical Network Unit,ＯＮＵ）２２、オプチカルライン・ターミナル（Optical
Line Terminal,ＯＬＴ）２３及びネットワーク管理装置２４を備える。  
このうち、オプチカルライン・ターミナル２３は、局内端末設備であり、それぞれインターネットＩＮＴ及びオプチカルネットワークユニット２２に接続される。  
そして、オプチカルネットワークユニット２２はユーザー側の端末設備となり、ユーザーの装置２１に接続される。  
ここでは、ユーザーの装置のモデム２１１を介して、ユーザーの装置２１に接続される。  
また、インターネットＩＮＴの他端は、ネットワーク管理装置２４を有し、インターネットＩＮＴを経由して、ユーザーの装置２１に対して、モニタリング、管理またはプログラムの更新等のネットワーク管理を行なう。
【００１４】
本実施例において、ユーザーの装置２１はパソコン、ＰＤＡ（Personal Digital Assistant）またはその他の端末設備等である。  
モデム２１１は、ユーザーの装置２１とオプチカルネットワークユニット２２の間のデータ変換メディアとなる。  
例えば、光ファイバーネットワーク上のオプチカル信号をユーザーの装置２１が受信可能な電気信号に変換することにより、双方のデータの転送を可能にする。  
また、ネットワーク管理装置２４は、インターネットＩＮＴを経由して、ユーザーの装置２１に対してネットワーク管理を行なうＩＳＰ（Internet Service Provider）が有するネットワーク管理サーバーのようなネットワーク管理サーバーである。
【００１５】
オプチカルネットワークユニット２２とユーザーの装置２１の間においては、イーサーネット（Ethernet（登録商標））によってデータが転送される。  
オプチカルネットワークユニット２２は、イーサーネットプロトコルに基づきマネージャパケットＭＰ１をユーザーの装置２１に転送することで、ユーザーの装置２１に対してネットワーク管理を行なう。  
このうち、イーサーネットプロトコルは、ＯＳＩ（Open Systems Interconnection）参照モデルにおける第一層及び第二層、すなわち物理層（Physical Layer）及びデータリンク層（Data-Link Layer）のプロトコルを定義し、マネージャパケットＭＰ１は、ＭＡＣアドレスによって転送が行なわれる。
【００１６】
本実施例において、オプチカルネットワークユニット２２は、ＩＥＥＥ８０２．３ａｈをイーサーネットプロトコルとする。  
ＩＥＥＥ８０２．３ａｈは、近年ＩＥＥＥ８０２．３ａｈ作業チーム及びＥＦＭＡ（Ethernet in the First Mile Alliance）が制定し、大々的に広めた。  
このプロトコルによりイーサーネットがユーザー側端末に応用できることによって、アクセスの際のバンドワイズ及び転送速度を高めることができ、ネットワークシステムのコストを削減することが可能である。
【００１７】
ＩＥＥＥ８０２．３ａｈプロトコルにおいて、イーサーネットの操作、管理及びメンテナンス（Operation, Administration, Maintenance,ＯＡＭ）の機能も定義する。  
この機能を有するマネージャパケットの定義はＯＡＭＰＤＵ（OAM Protocol Data Unit）パケットである。  
ＯＡＭＰＤＵパケットは図３に示したとおり、ターゲットアドレス、ソースアドレス、データ等の多くのフィールドを有する。  
さらに、各フィールドはいずれも特定のバイトを有してデータを保存する。  
このうち、パケットの主な内容は、データのフィールド内に保存される。  
本実施例において、オプチカルネットワークユニット２２が転送するマネージャパケットＭＰ１はＯＡＭＰＤＵパケットである。
【００１８】
図２を参照しながら説明する。  
ネットワーク管理装置２４がユーザーの装置２１に対してネットワーク管理を行なう場合、ＩＰ（Internet Protocol）パケットＮＰを転送する。  
インターネットＩＮＴを経由して、オプチカルライン・ターミナル２３に転送され、さらにＯＭＣＩ（ONU Management and Control Interface）によってＯＭＣＩパケットＯＰ１がオプチカルネットワークユニット２２に転送される。  
このうち、ＯＭＣＩパケットＯＰ１は、ストリング情報を有する。  
ストリング情報はＯＭＣＩによって設定される、コンフィギュレーション管理、故障管理、性能管理及び完全管理等の管理機能を有する。
【００１９】
図４を参照しながら説明する。  
オプチカルネットワークユニット２２は、プロセッサ２２１を有する。  
プロセッサ２２１は、受信モジュール２２１１、変換モジュール２２１２及び転送モジュール２２１３を有する。  
このうち、受信モジュール２２１１は、オプチカルライン・ターミナル２３が転送したＯＭＣＩパケットＯＰ１を受信し、それを変換モジュール２２１２に転送する。  
変換モジュール２２１２は受信モジュール２２１１に電気的に接続されて、ＯＭＣＩパケットＯＰ１中のストリング情報を読み取って、イーサーネットプロトコルに基づいてマネージャパケットＭＰ１としてパケット化する。  
また、ＩＥＥＥ８０２．３ａｈプロトコルに基づいて、ＯＡＭＰＤＵパケットとしてパケット化する。  
オプチカルネットワークユニット２２は、外部から転送されたＯＭＣＩパケットＯＰ１からストリング情報を得る他、オプチカルネットワークユニット自体がＯＭＣＩによって設定されたストリング情報を内蔵することができる。
【００２０】
図５を参照しながら説明する。  
ストリング情報は、マネージャパケットＭＰ１のデータフィールドに保存され、さらに、ストリング情報には、ヘッダ、データタイプ、データコンテンツ及びその他のフィールド等が含まれる。  
さらに、各フィールドは、いずれも特定のバイトを有して情報を保存する。  
このうち、主な内容は、データコンテンツフィールド内に保存される。  
また、マネージャパケットＭＰ１を受信した装置が容易にストリング情報の長さを判断できるように、データフィールドにＯＭＣＩストップコードを追加することで、ストリング情報のストップビットを確定することができる。  
ここで、ＯＭＣＩストップコードは、ストリング情報に隣接する。  
また、ＯＭＣＩを転送するために設定されたストリング情報のＯＡＭＰＤＵパケットがその他のＯＡＭＰＤＵパケットと区別するために、ＯＡＭＰＤＵパケットのコードフィールドのパラメーターは開発者のカスタマイズによって定められる。
【００２１】
さらに、図４を参照しながら説明する。  
パケット化が完了した後、変換モジュール２２１２がマネージャパケットＭＰ１を、変換モジュール２２１２に電気的に接続された転送モジュール２２１３に転送する。  
転送モジュール２２１３は、マネージャパケットＭＰ１をユーザーの装置２１に転送する。  
このように、オプチカルネットワークユニット２２は、ＯＭＣＩによって設定されたネットワーク管理機能によってユーザーの装置２１に対してネットワーク管理を行なう。
【００２２】
また、本実施例において、オプチカルネットワークユニット２２はＩＥＥＥ８０２．３ａｈプロトコルに定義されているディスカバリ（Discovery）プロセスを利用して、ユーザーの装置２１の情報を取得する。  
オプチカルネットワークユニット２２は、ＯＡＭＰＤＵパケットをユーザーの装置２１に転送し、ユーザーの装置２１はエコーパケットをオプチカルネットワークユニット２２に転送する。  
エコーパケットはユーザーの装置２１のハードウェア情報を有する。  
また、ハードウェア情報はオプチカルネットワークユニット２２のメモリ２２２に保存される。
【００２３】
図６を参照しながら説明する。  
本発明の好適な実施例の光ファイバーネットワークシステム２の管理方法は、Ｓ０１からＳ０４までの以下のステップを備える。  
ステップＳ０１においては、オプチカルネットワークユニット２２によってストリング情報を有するＯＭＣＩパケットＯＰ１が受信される。  
ステップＳ０２においては、オプチカルネットワークユニット２２によって、ストリング情報が選択されて、前記ストリング情報はＯＭＣＩによって設定されて、コンフィギュレーション機能、管理機能、故障管理、性能管理及び安全管理等の管理機能を有する。  
ステップＳ０３においては、ストリング情報がマネージャパケットＭＰ１内にパケット化される。  
本実施例において、ストリング情報は、ＯＡＭＰＤＵパケット内にパケット化される。  
ステップＳ０４においては、オプチカルネットワークユニット２２によって、イーサーネットプロトコルに基づいてマネージャパケットＭＰ１がユーザーの装置に転送される。
【００２４】
ここで、イーサーネットプロトコルはＩＥＥＥ８０２．３ａｈを例として説明する。  
そして、ＩＥＥＥ８０２．３ａｈが定義するディスカバリ（Discovery）プロセスに基づいて、ユーザーの装置２１の情報を取得する。  
そのプロセスはステップＳ０４１からステップＳ０４４に示した通りである(図７を参照されたい)。  
ステップＳ０４１において、オプチカルネットワークユニット２２によって、ＯＡＭＰＤＵパケットがユーザーの装置２１に転送されて、ディスカバリプロセスが実行される。  
ステップＳ０４２において、ユーザーの装置２１によって、ハードウェア情報がエコーパケットに付加されて、オプチカルネットワークユニット２２に転送される。  
このうち、ハードウェア情報は、例えば、ユーザーの装置２１のＭＡＣアドレスである。  
ステップＳ０４３において、ＭＡＣアドレスがオプチカルネットワークユニット２２のメモリ２２２中に保存される。  
ステップＳ０４４において、前記ＭＡＣアドレスによって、マネージャパケットＭＰ１がユーザーの装置２１に転送される。
【００２５】
本実施例の光ファイバーネットワークシステムの管理方法は、すでに上述の実施例における光ファイバーネットワークシステム２中に詳しい説明がなされているため、ここでは説明しない。
【００２６】
このように、本発明の光ファイバーネットワークシステム及びその管理方法は、オプチカルネットワークユニットとユーザーの装置との間にイーサーネットを確立して、ＯＭＣＩが設定する管理機能をマネージャパケットにパケット化し、さらに、マネージャパケットがイーサーネットプロトコルに基づいてユーザーの装置に転送されてネットワーク管理を行なう。  
従来の技術に比較して、本発明は、オプチカルネットワークユニットとユーザーの装置との間において、ＯＭＣＩが設定するネットワーク管理機能を引き続き使用することが可能で、その他のナットワーク管理プロトコルに変更してネットワーク管理を行なう必要がないため、ネットワーク管理機能を全体的に高めることが可能である。
【００２７】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００２８】
【図１】従来の光ファイバーネットワークシステムを示した図である。
【図２】本発明の好適な実施例の光ファイバーネットワークシステムを示した図である。
【図３】本発明の好適な実施例の光ファイバーネットワークシステムが使用するＯＡＭＰＤＵパケットを示した図である。
【図４】本発明の好適な実施例の光ファイバーネットワークシステム及びそのオプチカルネットワークユニットを示したフローチャートである。
【図５】本発明の好適な実施例の光ファイバーネットワークシステムが使用するＯＡＭＰＤＵパケットが有するストリング情報を示した図である。
【図６】本発明の好適な実施例の光ファイバーネットワークシステムの管理方法のフローチャートである。
【図７】本発明の好適な実施例の光ファイバーネットワークシステムの管理方法の他のフローチャートである。
【符号の説明】
【００２９】
１，２          光ファイバーネットワークシステム
１１，２３      オプチカルライン・ターミナル（ＯＬＴ）
１２，２２      オプチカルネットワークユニット
１３，２１      ユーザーの装置
１４            ネットワーク管理サーバー
２１１          モデム
２２１          プロセッサ
２２１１        受信モジュール
２２１２        変換モジュール
２２１３        転送モジュール
２２２          メモリ
２４            ネットワーク管理装置
ＩＮＴ          インターネット
ＭＰ１          マネージャパケット
ＮＰ            ＩＰパケット
ＯＰ１          ＯＭＣＩパケット
Ｓ０１−Ｓ０４，Ｓ０４１−Ｓ０４４  管理方法のステップ
【図１】
2008271545.tif 000003
【図２】
2008271545.tif 000004
【図３】
2008271545.tif 000005
【図４】
2008271545.tif 000006
【図５】
2008271545.tif 000007
【図６】
2008271545.tif 000008
【図７】
2008271545.tif 000009